(57)【要約】【課題】スウェプトソースＯＣＴにおいて測定時間を短縮しつつ注目領域を高精細に測定するための新たな技術を提供する。【解決手段】スウェプトソースＯＣＴを用いて被検眼のデータを収集する眼科装置は、掃引範囲及び掃引間隔の少なくとも一方がＡスキャン単位で異なる掃引条件で波長掃引された光を測定光と参照光とに分割し、測定光を被検眼に投射し、被検眼からの測定光の戻り光と参照光との干渉光を検出する干渉光学系と、測定光を偏向する光スキャナと、波長掃引のタイミングに応じて干渉光の検出結果を取得する取得部と、を含む。【選択図】図４
2019025186.tif 000002
【特許請求の範囲】
【請求項１】
スウェプトソースＯＣＴを用いて被検眼のデータを収集する眼科装置であって、
掃引範囲及び掃引間隔の少なくとも一方がＡスキャン単位で異なる掃引条件で波長掃引された光を測定光と参照光とに分割し、前記測定光を前記被検眼に投射し、前記被検眼からの前記測定光の戻り光と前記参照光との干渉光を検出する干渉光学系と、
前記測定光を偏向する光スキャナと、
前記波長掃引のタイミングに応じて前記干渉光の検出結果を取得する取得部と、
を含む眼科装置。
【請求項２】
前記掃引範囲及び前記掃引間隔の少なくとも一方が変更可能な波長掃引光源を制御する制御部を含み、
前記干渉光学系は、前記波長掃引光源からの光を前記測定光と前記参照光とに分割する
ことを特徴とする請求項１に記載の眼科装置。
【請求項３】
前記制御部は、前記被検眼における前記測定光の投射位置が第１部位に相当する領域に含まれるとき第１掃引範囲を第１掃引間隔で波長を掃引するように前記波長掃引光源を制御し、前記投射位置が第２部位に相当する領域に含まれるとき第２掃引範囲を第２掃引間隔で波長を掃引するように前記波長掃引光源を制御する
ことを特徴とする請求項２に記載に眼科装置。
【請求項４】
前記第２掃引範囲は前記第１掃引範囲より広く、かつ、前記第２掃引間隔は前記第１掃引間隔より広い
ことを特徴とする請求項３に記載の眼科装置。
【請求項５】
前記被検眼の正面画像を取得するための撮影光学系と、
前記撮影光学系を用いて取得された前記正面画像から前記第２部位に相当する領域を特定する特定部と、
を含み、
前記制御部は、前記特定部による特定結果に基づいて前記波長掃引光源を制御する
ことを特徴とする請求項３又は請求項４に記載の眼科装置。
【請求項６】
前記波長掃引光源を含む
ことを特徴とする請求項２〜請求項５のいずれか一項に記載の眼科装置。
【請求項７】
前記取得部により取得されたデータに基づいて前記被検眼の画像を形成する画像形成部を含む
ことを特徴とする請求項１〜請求項６のいずれか一項に記載の眼科装置。
【請求項８】
スウェプトソースＯＣＴを用いて被検眼のデータを収集するデータ収集方法であって、
掃引範囲及び掃引間隔の少なくとも一方がＡスキャン単位で異なる掃引条件で波長掃引された光を測定光と参照光とに分割し、前記測定光を前記被検眼に投射し、前記被検眼からの前記測定光の戻り光と前記参照光との干渉光を検出する検出ステップと、
前記測定光を偏向する偏向ステップと、
前記波長掃引のタイミングに応じて前記干渉光の検出結果を取得する取得ステップと、
を含むデータ収集方法。
【請求項９】
前記検出ステップでは、前記被検眼における前記測定光の投射位置が第１部位に相当する領域に含まれるとき第１掃引範囲を第１掃引間隔で波長を掃引し、前記投射位置が第２部位に相当する領域に含まれるとき第２掃引範囲を第２掃引間隔で波長を掃引する
ことを特徴とする請求項８に記載のデータ収集方法。
【請求項１０】
前記第２掃引範囲は前記第１掃引範囲より広く、かつ、前記第２掃引間隔は前記第１掃引間隔より広い
ことを特徴とする請求項９に記載のデータ収集方法。
【発明の詳細な説明】
【技術分野】
【０００１】
この発明は、眼科装置及びデータ収集方法に関する。
【背景技術】
【０００２】
近年、レーザ光源等からの光ビームを用いて被測定物体の形態を測定したり画像化したりするＯＣＴが注目を集めている。ＯＣＴは、Ｘ線ＣＴ（Ｃｏｍｐｕｔｅｄ  Ｔｏｍｏｇｒａｐｈｙ）のような人体に対する侵襲性を持たないことから、特に医療分野や生物学分野における応用の展開が期待されている。例えば、眼科分野においては、眼底や角膜等の画像を形成する装置が実用化されている。このようなＯＣＴを用いた装置（ＯＣＴ装置）は被検眼の様々な部位（眼底や前眼部）の観察に適用可能である。また、高精細な画像を取得できることから、様々な眼科疾患の診断に応用されている。
【０００３】
ＯＣＴを実現する手法については様々なものが提案されている。その中でもスウェプトソース（Ｓｗｅｐｔ  Ｓｏｕｒｃｅ）ＯＣＴは、画像を高速に取得したり、観察部位の深部を高感度に測定したりすることが可能である。このようなスウェプトソースＯＣＴは、測定光の波長を変化させることで観察部位の深さ方向の情報を取得する。
【０００４】
例えば、特許文献１には、スウェプトソースＯＣＴに適用可能な波長掃引光源が開示されている。このような波長掃引光源による波長の掃引範囲を広くすることで、取得される画像の解像度を向上させることができる。また、波長掃引光源による波長の掃引間隔（掃引ステップ、掃引ピッチ、変化量）を細かくすることで、取得される画像の範囲（画像化範囲）を広くすることができる。
【先行技術文献】
【特許文献】
【０００５】
【特許文献１】特表２０１４−５２２１０５号公報
【発明の概要】
【発明が解決しようとする課題】
【０００６】
スウェプトソースＯＣＴにおいて観察部位を高精細に観察するためには、掃引範囲を広くして、例えば測定光の波長を所定の掃引間隔で変化させる必要がある。従って、観察部位を含む広い範囲を観察する場合、掃引間隔を細かくする必要があるため、スキャン時間がより一層長くなる上に、処理すべきデータ量が膨大になる。
【０００７】
ところが、実際には観察部位の全体を高精細に観察することはなく、観察部位における注目部位だけを高精細に観察可能であればよいことが多い。観察部位が眼底の場合には注目部位は黄斑部や視神経乳頭部が含まれる部位や病変部位であり、観察部位が前眼部の場合には隅角部が含まれる部位や病変部位である。
【０００８】
しかしながら、従来のスウェプトソースＯＣＴでは、掃引範囲や掃引間隔をリアルタイムに変更することが困難であった。それにより、観察部位の全体を広範囲に、かつ、高精細に測定するか、観察部位の広範囲を粗く測定した後に注目部位を含む領域を狭い範囲で高精細に測定し直すなどの方法が採用されており、いずれの場合でも長い測定時間を要していた。
【０００９】
この発明は、このような問題を解決するためになされたものであり、その目的は、スウェプトソースＯＣＴにおいて測定時間を短縮しつつ注目領域を高精細に測定するための新たな技術を提供することにある。
【課題を解決するための手段】
【００１０】
実施形態に係る第１態様は、スウェプトソースＯＣＴを用いて被検眼のデータを収集する眼科装置であって、掃引範囲及び掃引間隔の少なくとも一方がＡスキャン単位で異なる掃引条件で波長掃引された光を測定光と参照光とに分割し、前記測定光を前記被検眼に投射し、前記被検眼からの前記測定光の戻り光と前記参照光との干渉光を検出する干渉光学系と、前記測定光を偏向する光スキャナと、前記波長掃引のタイミングに応じて前記干渉光の検出結果を取得する取得部と、を含む眼科装置である。
【００１１】
また、実施形態に係る第２態様は、第１態様において、前記掃引範囲及び前記掃引間隔の少なくとも一方が変更可能な波長掃引光源を制御する制御部を含み、前記干渉光学系は、前記波長掃引光源からの光を前記測定光と前記参照光とに分割してもよい。
【００１２】
また、実施形態に係る第３態様では、第２態様において、前記制御部は、前記被検眼における前記測定光の投射位置が第１部位に相当する領域に含まれるとき第１掃引範囲を第１掃引間隔で波長を掃引するように前記波長掃引光源を制御し、前記投射位置が第２部位に相当する領域に含まれるとき第２掃引範囲を第２掃引間隔で波長を掃引するように前記波長掃引光源を制御してもよい。
【００１３】
また、実施形態に係る第４態様では、第３態様において、前記第２掃引範囲は前記第１掃引範囲より広く、かつ、前記第２掃引間隔は前記第１掃引間隔より広くてもよい。
【００１４】
また、実施形態に係る第５態様は、第３態様又は第４態様において、前記被検眼の正面画像を取得するための撮影光学系と、前記撮影光学系を用いて取得された前記正面画像から前記第２部位に相当する領域を特定する特定部と、を含み、前記制御部は、前記特定部による特定結果に基づいて前記波長掃引光源を制御してもよい。
【００１５】
また、実施形態に係る第６態様は、第２態様〜第５態様のいずれかにおいて、前記波長掃引光源を含んでもよい。
【００１６】
また、実施形態に係る第７態様は、第１態様〜第６態様のいずれかにおいて、前記取得部により取得されたデータに基づいて前記被検眼の画像を形成する画像形成部を含んでもよい。
【００１７】
また、実施形態に係る第８態様は、スウェプトソースＯＣＴを用いて被検眼のデータを収集するデータ収集方法であって、掃引範囲及び掃引間隔の少なくとも一方がＡスキャン単位で異なる掃引条件で波長掃引された光を測定光と参照光とに分割し、前記測定光を前記被検眼に投射し、前記被検眼からの前記測定光の戻り光と前記参照光との干渉光を検出する検出ステップと、前記測定光を偏向する偏向ステップと、前記波長掃引のタイミングに応じて前記干渉光の検出結果を取得する取得ステップと、を含むデータ収集方法である。
【００１８】
また、実施形態に係る第９態様は、第８態様において、前記検出ステップでは、前記被検眼における前記測定光の投射位置が第１部位に相当する領域に含まれるとき第１掃引範囲を第１掃引間隔で波長を掃引し、前記投射位置が第２部位に相当する領域に含まれるとき第２掃引範囲を第２掃引間隔で波長を掃引してもよい。
【００１９】
また、実施形態に係る第１０態様では、第９態様において、前記第２掃引範囲は前記第１掃引範囲より広く、かつ、前記第２掃引間隔は前記第１掃引間隔より広くてもよい。
【発明の効果】
【００２０】
この発明によれば、スウェプトソースＯＣＴにおいて測定時間を短縮しつつ注目領域を高精細に測定するための新たな技術を提供することが可能になる。
【図面の簡単な説明】
【００２１】
【図１】実施形態に係る眼科装置の光学系の構成の一例を表す概略図である。
【図２】実施形態に係る眼科装置の光学系の構成の一例を表す概略図である。
【図３】実施形態に係る眼科装置の光学系の構成の一例を表す概略図である。
【図４】実施形態に係る眼科装置の制御系の構成の一例を表す概略図である。
【図５】実施形態に係る眼科装置の動作の一例を表すフロー図である。
【図６】実施形態に係る眼科装置の動作の一例を表すフロー図である。
【図７】従来の波長掃引光源の動作説明図である。
【図８】実施形態に係る眼科装置の動作説明図である。
【図９Ａ】実施形態に係る眼科装置の動作説明図である。
【図９Ｂ】実施形態に係る眼科装置の動作説明図である。
【図１０】実施形態に係る眼科装置の動作説明図である。
【発明を実施するための形態】
【００２２】
この発明に係る眼科装置、及びデータ収集方法の実施形態の一例について、図面を参照しながら詳細に説明する。この発明に係る眼科装置は、スウェプトソースＯＣＴの手法を用いて被測定物体としての被検眼のデータを収集することが可能である。以下、実施形態に係る眼科装置は、被測定物体としての被検眼の光学特性を測定したり、被検眼の画像（断層像、２次元画像、３次元画像など）を形成したりすることが可能である。この明細書では、ＯＣＴによって取得される画像をＯＣＴ画像と総称することがある。また、ＯＣＴ画像を形成するための計測動作をＯＣＴ計測と呼ぶことがある。なお、この明細書に記載された文献の記載内容を、以下の実施形態の内容として適宜援用することが可能である。
【００２３】
以下の実施形態では、被測定物体を生体眼（被検眼）とし、スウェプトソースタイプのＯＣＴの手法を用いて眼底のＯＣＴ計測を行う眼科装置について説明するが、生体眼以外の被測定物体を計測する装置に適用することが可能である。特に、実施形態に係る眼科装置は、眼底のＯＣＴ画像を取得することが可能であり、更に、眼底を撮影することにより眼底像を取得することが可能である。この実施形態では、眼科装置がＯＣＴ計測の機能と眼底カメラの機能とを備えている場合について説明する。しかしながら、実施形態に係る眼科装置は、ＯＣＴ計測の機能に加えて、眼底カメラ以外の機能を備えていてもよい。眼底カメラ以外の機能には、例えばＳＬＯ（Ｓｃａｎｎｉｎｇ  Ｌａｓｅｒ  Ｏｐｈｔｈａｌｍｏｓｃｏｐｅ）、スリットランプ、眼科手術用顕微鏡、光凝固装置などの機能がある。また、実施形態に係る眼科装置は、ＯＣＴ計測を行う機能だけを備えていてもよい。
【００２４】
［構成］
図１〜図３に示すように、眼科装置１は、眼底カメラユニット２、ＯＣＴユニット１００及び演算制御ユニット２００を含んで構成される。眼底カメラユニット２は、従来の眼底カメラとほぼ同様の光学系を有する。ＯＣＴユニット１００には、眼底のＯＣＴ画像を取得するための光学系が設けられている。演算制御ユニット２００は、各種の演算処理や制御処理等を実行するコンピュータを具備している。
【００２５】
〔眼底カメラユニット〕
図１に示す眼底カメラユニット２には、被検眼Ｅの眼底Ｅｆを角膜側から見た正面画像（眼底像）を取得するための光学系が設けられている。眼底像には、観察画像や撮影画像などが含まれる。観察画像は、例えば、近赤外光を用いて所定のフレームレートで形成されるモノクロの動画像である。撮影画像は、例えば、可視光をフラッシュ発光して得られるカラー画像、または近赤外光若しくは可視光を照明光として用いたモノクロの静止画像であってもよい。眼底カメラユニット２は、これら以外の画像、例えばフルオレセイン蛍光画像やインドシアニングリーン蛍光画像や自発蛍光画像などを取得可能に構成されていてもよい。
【００２６】
眼底カメラユニット２には、被検者の顔を支持するための顎受けや額当てが設けられている。更に、眼底カメラユニット２には、照明光学系１０と撮影光学系３０とが設けられている。照明光学系１０は眼底Ｅｆに照明光を照射する。撮影光学系３０は、この照明光の眼底反射光を撮像装置（ＣＣＤイメージセンサ（単にＣＣＤと呼ぶことがある）３５、３８）に導く。また、撮影光学系３０は、ＯＣＴユニット１００からの測定光を眼底Ｅｆに導くとともに、眼底Ｅｆを経由した測定光をＯＣＴユニット１００に導く。
【００２７】
照明光学系１０の観察光源１１は、例えばハロゲンランプにより構成される。観察光源１１から出力された光（観察照明光）は、曲面状の反射面を有する反射ミラー１２により反射され、集光レンズ１３を経由し、可視カットフィルタ１４を透過して近赤外光となる。更に、観察照明光は、撮影光源１５の近傍にて一旦集束し、ミラー１６により反射され、リレーレンズ１７、１８、絞り１９及びリレーレンズ２０を経由する。そして、観察照明光は、孔開きミラー２１の周辺部（孔部の周囲の領域）にて反射され、ダイクロイックミラー４６を透過し、対物レンズ２２により屈折されて眼底Ｅｆを照明する。なお、観察光源としてＬＥＤ（Ｌｉｇｈｔ  Ｅｍｉｔｔｉｎｇ  Ｄｉｏｄｅ）を用いることも可能である。
【００２８】
観察照明光の眼底反射光は、対物レンズ２２により屈折され、ダイクロイックミラー４６を透過し、孔開きミラー２１の中心領域に形成された孔部を通過し、ダイクロイックミラー５５を透過し、合焦レンズ３１を経由し、ミラー３２により反射される。更に、この眼底反射光は、ハーフミラー３３Ａを透過し、ダイクロイックミラー３３により反射され、集光レンズ３４によりＣＣＤイメージセンサ３５の受光面に結像される。ＣＣＤイメージセンサ３５は、例えば所定のフレームレートで眼底反射光を検出する。表示装置３には、ＣＣＤイメージセンサ３５により検出された眼底反射光に基づく画像（観察画像）が表示される。なお、撮影光学系３０のピントが前眼部に合わせられている場合、被検眼Ｅの前眼部の観察画像が表示される。
【００２９】
撮影光源１５は、例えばキセノンランプにより構成される。撮影光源１５から出力された光（撮影照明光）は、観察照明光と同様の経路を通って眼底Ｅｆに照射される。撮影照明光の眼底反射光は、観察照明光のそれと同様の経路を通ってダイクロイックミラー３３まで導かれ、ダイクロイックミラー３３を透過し、ミラー３６により反射され、集光レンズ３７によりＣＣＤイメージセンサ３８の受光面に結像される。表示装置３には、ＣＣＤイメージセンサ３８により検出された眼底反射光に基づく画像（撮影画像）が表示される。なお、観察画像を表示する表示装置と撮影画像を表示する表示装置は、同一のものであってもよいし、異なるものであってもよい。また、被検眼Ｅを赤外光で照明して同様の撮影を行う場合には、赤外の撮影画像が表示される。また、撮影光源としてＬＥＤを用いることも可能である。
【００３０】
ＬＣＤ（Ｌｉｑｕｉｄ  Ｃｒｙｓｔａｌ  Ｄｉｓｐｌａｙ）３９は、固視標や視力測定用指標を表示する。固視標は被検眼Ｅを固視させるための指標であり、眼底撮影時やＯＣＴ計測時などに使用される。
【００３１】
ＬＣＤ３９から出力された光は、その一部がハーフミラー３３Ａにて反射され、ミラー３２に反射され、合焦レンズ３１及びダイクロイックミラー５５を経由し、孔開きミラー２１の孔部を通過する。孔開きミラー２１の孔部を通過した光は、ダイクロイックミラー４６を透過し、対物レンズ２２により屈折されて眼底Ｅｆに投影される。
【００３２】
ＬＣＤ３９の画面上における固視標の表示位置を変更することにより、被検眼Ｅの固視位置を変更できる。被検眼Ｅの固視位置としては、眼底Ｅｆの黄斑部を中心とする画像を取得するための位置や、視神経乳頭を中心とする画像を取得するための位置や、黄斑部と視神経乳頭との間の眼底中心を中心とする画像を取得するための位置などがある。また、固視標の表示位置を任意に変更することも可能である。
【００３３】
更に、眼底カメラユニット２には、従来の眼底カメラと同様にアライメント光学系５０とフォーカス光学系６０が設けられている。アライメント光学系５０は、被検眼Ｅに対する装置光学系の位置合わせ（アライメント）を行うための指標（アライメント指標）を生成する。フォーカス光学系６０は、眼底Ｅｆに対してフォーカス（ピント）を合わせるための指標（スプリット指標）を生成する。
【００３４】
アライメント光学系５０のＬＥＤ５１から出力された光（アライメント光）は、絞り５２、５３及びリレーレンズ５４を経由してダイクロイックミラー５５により反射され、孔開きミラー２１の孔部を通過する。孔開きミラー２１の孔部を通過した光は、ダイクロイックミラー４６を透過し、対物レンズ２２により被検眼Ｅの角膜に投影される。
【００３５】
アライメント光の角膜反射光は、対物レンズ２２、ダイクロイックミラー４６及び上記孔部を経由し、その一部がダイクロイックミラー５５を透過し、合焦レンズ３１を通過し、ミラー３２により反射される。ミラー３２により反射された光は、ハーフミラー３３Ａを透過し、ダイクロイックミラー３３に反射され、集光レンズ３４によりＣＣＤイメージセンサ３５の受光面に投影される。ＣＣＤイメージセンサ３５による受光像（アライメント指標）は、観察画像とともに表示装置３に表示される。ユーザは、従来の眼底カメラと同様の操作を行ってアライメントを実施する。また、演算制御ユニット２００がアライメント指標の位置を解析して光学系を移動させることによりアライメントを行ってもよい（オートアライメント機能）。
【００３６】
フォーカス調整を行う際には、照明光学系１０の光路上に反射棒６７の反射面が斜設される。フォーカス光学系６０のＬＥＤ６１から出力された光（フォーカス光）は、リレーレンズ６２を通過し、スプリット指標板６３により２つの光束に分離され、二孔絞り６４を通過し、ミラー６５に反射される。ミラー６５に反射された光は、集光レンズ６６により反射棒６７の反射面に一旦結像されて反射される。更に、フォーカス光は、リレーレンズ２０を経由し、孔開きミラー２１に反射され、ダイクロイックミラー４６を透過し、対物レンズ２２により屈折されて眼底Ｅｆに投影される。
【００３７】
フォーカス光の眼底反射光は、アライメント光の角膜反射光と同様の経路を通ってＣＣＤイメージセンサ３５により検出される。ＣＣＤイメージセンサ３５による受光像（スプリット指標）は、観察画像とともに表示装置３に表示される。演算制御ユニット２００は、従来と同様に、スプリット指標の位置を解析して合焦レンズ３１及びフォーカス光学系６０を移動させてピント合わせを行う（オートフォーカス機能）。また、スプリット指標を視認しつつ手動でピント合わせを行ってもよい。
【００３８】
ダイクロイックミラー４６は、眼底撮影用の光路からＯＣＴ計測用の光路を分岐させている。ダイクロイックミラー４６は、ＯＣＴ計測に用いられる波長帯の光を反射し、眼底撮影用の光を透過させる。このＯＣＴ計測用の光路には、ＯＣＴユニット１００側から順に、コリメータレンズユニット４０と、分散補償部材４７と、光路長変更部４１と、合焦レンズ４３と、光スキャナ４４と、リレーレンズ４５とが設けられている。
【００３９】
分散補償部材４７は、コリメータレンズユニット４０と光路長変更部４１との間の測定光路に配置される。分散補償部材４７は、ＯＣＴユニット１００内で生成された参照光と測定光の分散特性を合わせるための分散補償手段として作用する。
【００４０】
光路長変更部４１は、図１に示す矢印の方向に移動可能とされ、ＯＣＴ計測用の光路の光路長を変更する。この光路長の変更は、被検眼Ｅの眼軸長に応じた光路長の補正や、干渉状態の調整などに利用される。光路長変更部４１は、例えばコーナーキューブと、これを移動する機構とを含んで構成される。
【００４１】
光スキャナ４４は、ＯＣＴ計測用の光路を通過する光（測定光ＬＳ）の進行方向を変更する。それにより、眼底Ｅｆを測定光ＬＳで走査することができる。光スキャナ４４は、例えばガルバノスキャナであってよい。この場合、光スキャナ４４は、測定光ＬＳをｘ方向に走査するガルバノミラーと、ｙ方向に走査するガルバノミラーと、これらを独立に駆動する機構とを含んで構成される。このような光スキャナ４４は、測定光ＬＳをｘｙ平面上の任意の方向に走査することができる。
【００４２】
〔ＯＣＴユニット〕
図２を参照しつつＯＣＴユニット１００の構成の一例を説明する。ＯＣＴユニット１００には、眼底ＥｆのＯＣＴ画像を取得するための光学系が設けられている。この光学系は、スウェプトソースタイプのＯＣＴを実現するための構成を有する。すなわち、この光学系は、波長掃引光源（波長走査光源）からの光を測定光と参照光とに分割し、眼底Ｅｆを経由した測定光と参照光路を経由した参照光とを干渉させて干渉光を生成し、この干渉光を検出する干渉光学系である。干渉光学系における干渉光の検出結果（検出信号）は、干渉光のスペクトルを示す信号であり、演算制御ユニット２００に送られる。
【００４３】
光源ユニット１２０は、掃引範囲及び掃引間隔（掃引ステップ、掃引ピッチ、変化量）の少なくとも１つが変更可能な波長掃引光源（波長走査光源）を含む。波長掃引光源は、人眼では視認できない近赤外の波長帯において出力波長を時間的に変化させる。この波長掃引光源は、時間軸上において波長又は波数が直線的に（線形的に）変化する出射光を出力する。また、波長掃引光源は、時間軸上において波長（波数）が直線的に変化する出射光を出力する場合、当該出射光の波長（波数）に応じたタイミングで変化するクロックＫＣを生成することが可能である。生成されたクロックＫＣは、後述のＤＡＱ１６０に供給される。
【００４４】
掃引光源から出力された光Ｌ０は、光ファイバ１０１によりアッテネータ１０２に導かれて、演算制御ユニット２００の制御の下で光量が調整される。アッテネータ１０２により光量が調整された光Ｌ０は、光ファイバ１０３により偏波コントローラ１０４に導かれてその偏光状態が調整される。偏波コントローラ１０４は、例えばループ状にされた光ファイバ１０３に対して外部から応力を与えることで、光ファイバ１０３内を導かれる光Ｌ０の偏光状態を調整する。
【００４５】
偏波コントローラ１０４により偏光状態が調整された光Ｌ０は、光ファイバ１０５によりファイバカプラ１０６に導かれて測定光ＬＳと参照光ＬＲとに分割される。
【００４６】
参照光ＬＲは、光ファイバ１０７によりアッテネータ１０８に導かれて、演算制御ユニット２００の制御の下で光量が調整される。アッテネータ１０８により光量が調整された参照光ＬＲは、光ファイバ１０９により偏波コントローラ１１０に導かれて、その偏光状態が調整される。
【００４７】
偏波コントローラ１１０は、例えば、偏波コントローラ１０４と同様の構成を有する。偏波コントローラ１１０により偏光状態が調整された参照光ＬＲは、光ファイバ１１１によりファイバカプラ１１２に導かれる。
【００４８】
ファイバカプラ１０６により生成された測定光ＬＳは、光ファイバ１１３により導かれ、コリメータレンズユニット４０により平行光束とされる。平行光束にされた測定光ＬＳは、分散補償部材４７、光路長変更部４１、合焦レンズ４３、光スキャナ４４、及びリレーレンズ４５を経由してダイクロイックミラー４６に到達する。そして、測定光ＬＳは、ダイクロイックミラー４６により反射され、対物レンズ２２により屈折されて眼底Ｅｆに投射される。測定光ＬＳは、眼底Ｅｆの様々な深さ位置において散乱（反射を含む）される。眼底Ｅｆによる測定光ＬＳの後方散乱光は、往路と同じ経路を逆向きに進行してファイバカプラ１０６に導かれ、光ファイバ１１４を経由してファイバカプラ１１２に到達する。
【００４９】
ファイバカプラ１１２は、光ファイバ１１４を介して入射された測定光ＬＳと、光ファイバ１１１を介して入射された参照光ＬＲとを合成して（干渉させて）干渉光を生成する。ファイバカプラ１１２は、所定の分岐比（例えば５０：５０）で、測定光ＬＳと参照光ＬＲとの干渉光を分岐することにより、一対の干渉光ＬＣを生成する。ファイバカプラ１１２から出射した一対の干渉光ＬＣは、光ファイバ１１５、１１６により検出器１５０に導かれる。
【００５０】
検出器１５０は、光ファイバ１１５、１１６により導かれた一対の干渉光ＬＣをそれぞれ検出する一対のフォトディテクタを有する。検出器１５０は、一対のフォトディテクタによる検出信号（検出結果）の差分を出力するバランスドフォトダイオード（Ｂａｌａｎｃｅｄ  Ｐｈｏｔｏ  Ｄｉｏｄｅ：以下、ＢＰＤ）である。検出器１５０は、その検出信号（検出結果）を干渉信号としてＤＡＱ（Ｄａｔａ  Ａｃｑｕｉｓｉｔｉｏｎ  Ｓｙｓｔｅｍ）１６０に送る。検出器１５０により得られた検出信号（検出結果）は、この実施形態に係る「被検眼のデータ」の一例である。
【００５１】
この実施形態において、光源ユニット１２０の波長掃引光源は、設定された掃引範囲内を、設定された掃引間隔で出射光の波長又は波数を掃引可能である。すなわち、波長掃引光源から出力される出射光の波長又は波数は、設定された掃引範囲内において、設定された掃引間隔で変化する。掃引間隔は、掃引範囲内において等間隔であってもよいし等間隔でなくてもよい。
【００５２】
波長掃引光源は、例えば、波長可変半導体レーザを含む。波長可変半導体レーザとして、例えば、超周期回折格子分布反射型レーザ（Ｓｕｐｅｒ−Ｓｔｒｕｃｔｕｒｅ  Ｇｒａｔｉｎｇ  Ｄｉｓｔｒｉｂｕｔｅｄ  Ｂｒａｇｇ  Ｒｅｆｌｅｃｔｏｒ  Ｌａｓｅｒ：ＳＳＧ−ＤＢＲレーザ）などを採用することができる。ＳＳＧ−ＤＢＲレーザは、半導体光増幅器（Ｓｅｍｉｃｏｎｄｕｃｔｏｒ  Ｏｐｔｉｃａｌ  Ａｍｐｌｉｆｉｅｒ：ＳＯＡ）と、フロントＳＳＧ−ＤＢＲと、活性層と、位相調整領域と、リアＳＳＧ−ＤＢＲとを含む。ＳＯＡと活性層とが出力調整領域として機能し、位相調整領域とフロントＳＳＧ−ＤＢＲ及びリアＳＳＧ−ＤＢＲとが波長調整領域として機能する。出力調整領域と波長調整領域とに注入する電流の組み合わせにより、出力強度と出力波長とを変更することができる。
【００５３】
上述のように、波長掃引光源はクロックＫＣを生成する。波長掃引光源が時間軸上において波長が直線的に変化する出射光を出力する場合、クロックＫＣは、時間軸上において波長が直線的に変化するクロックである。波長掃引光源が時間軸上において波数が直線的に変化する出射光を出力する場合、クロックＫＣは、時間軸上において波数が直線的に変化するクロックである。以下、実施形態に係る波長掃引光源は、主として、時間軸上において波長が直線的に変化する出射光を出力する場合について説明する。
【００５４】
ＤＡＱ１６０には、光源ユニット１２０からクロックＫＣが入力される。この実施形態では、クロックＫＣは、波長掃引光源からの光に基づいてクロック生成光学系により光学的に生成される。ここで、「光学的に生成される」とは、主として光学部材によって生成されることを意味する。ＤＡＱ１６０は、クロックＫＣの変化タイミング（立ち上がりエッジ、立ち下がりエッジ）やゼロクロスタイミングで、検出器１５０により得られた検出信号を取り込むことが可能である。すなわち、ＤＡＱ１６０は、波長掃引光源による波長掃引のタイミングに応じて干渉光の検出結果を取得することが可能である。
【００５５】
図３に、光源ユニット１２０の光学的な構成例を示す。
【００５６】
光源ユニット１２０は、波長掃引光源１２１、光分岐器１２３、クロック生成光学系１３０、検出器１４１、これらを光学的に接続する光ファイバなどを含む。波長掃引光源１２１は、設定された掃引範囲内を、設定された掃引間隔で出射光の波長又は波数を掃引する。波長掃引光源１２１により出射された光は、光ファイバ１２２により光分岐器１２３に導かれる。光分岐器１２３は、波長掃引光源１２１からの光を所定の分岐比（例えば９５：５）で分岐することにより、光Ｌ０（９５％）と分岐光（５％）とを生成する。光Ｌ０は、光ファイバ１２４を介して出射端１２５より出射される。分岐光は、光ファイバ１２６によりクロック生成光学系１３０に導かれる。
【００５７】
クロック生成光学系１３０は、分岐光から一対の干渉光を光学的に生成する。すなわち、光ファイバ１２６により分岐光が光分岐器１３１に導かれる。光分岐器１３１は、この分岐光を所定の分岐比（例えば５０：５０）で更に分岐することにより、一対のサブ分岐光を生成する。光分岐器１３１により生成された一対のサブ分岐光の一方は、光ファイバ１３２により遅延光学素子１３３に導かれる。遅延光学素子１３３は、光ファイバ１３２により導かれた光を所定の光路長分だけ遅延させる。遅延光学素子１３３により遅延した光は、光ファイバ１３４によりファイバカプラ１３５に導かれる。他方のサブ分岐光は、光ファイバ１３６によりファイバカプラ１３５に導かれる。ファイバカプラ１３５は、光ファイバ１３４、１３６を介して入射された一対の光を合成して（干渉させて）干渉光を生成する。ファイバカプラ１３５は、所定の分岐比（例えば５０：５０）で干渉光を分岐することにより、一対の干渉光を生成する。ファイバカプラ１３５により生成された一対の干渉光は、時間軸上において波長又は波数が直線的に変化する。ファイバカプラ１３５から出射した一対の干渉光は、光ファイバ１４０、１４２により検出器１４１に導かれる。
【００５８】
検出器１４１は、例えばＢＰＤを含む。検出器１４１は、一対の干渉光を検出することにより、時間軸上において波長又は波数が直線的に変化するクロックＫＣを光学的に生成する。クロックＫＣは、光ファイバ１４５を介して出射端１４６より出力される。このように光学的にクロックを生成することにより、ジッターの影響を受けないクロックＫＣを取得することができる。
【００５９】
なお、図３において、検出器１４１は、フォトダイオード（Ｐｈｏｔｏ  Ｄｉｏｄｅ：以下、ＰＤ）であってもよい。ＰＤは、ファイバカプラ１３５により生成された一対の干渉光の一方だけを検出するように設けられる。
【００６０】
演算制御ユニット２００は、例えば一連の波長走査ごとに（Ａラインごとに）、図２の検出器１５０により得られた検出信号に基づくスペクトル分布にフーリエ変換等を施すことで断層像を形成する。演算制御ユニット２００は、形成された画像を表示装置３に表示させる。
【００６１】
この実施形態ではマイケルソン型の干渉計を採用しているが、例えばマッハツェンダー型など任意のタイプの干渉計を適宜に採用することが可能である。
【００６２】
図２に示すＯＣＴユニット１００に含まれる光学系（ファイバカプラ１０６、１１２、検出器１５０と、これらを光学的に接続する光ファイバ等）は、実施形態に係る「干渉光学系」の一例である。ＤＡＱ１６０は、実施形態に係る「取得部」の一例である。画像形成部２２０（又はデータ処理部２３０）は、実施形態に係る「特定部」の一例である。
【００６３】
〔演算制御ユニット〕
演算制御ユニット２００の構成について説明する。演算制御ユニット２００は、検出器１５０から入力される検出信号を解析して眼底ＥｆのＯＣＴ画像を形成する。そのための演算処理は、従来のスウェプトソースタイプのＯＣＴ装置と同様である。
【００６４】
また、演算制御ユニット２００は、眼底カメラユニット２、表示装置３及びＯＣＴユニット１００の各部を制御する。例えば演算制御ユニット２００は、眼底ＥｆのＯＣＴ画像を表示装置３に表示させる。
【００６５】
また、眼底カメラユニット２の制御として、演算制御ユニット２００は、観察光源１１、撮影光源１５及びＬＥＤ５１、６１の動作制御、ＣＣＤ３５及び３８の動作制御、ＬＣＤ３９の動作制御、合焦レンズ３１、４３の移動制御、反射棒６７の移動制御、フォーカス光学系６０の移動制御、光路長変更部４１の移動制御、光スキャナ４４の動作制御などを行う。
【００６６】
また、ＯＣＴユニット１００の制御として、演算制御ユニット２００は、光源ユニット１２０の動作制御、検出器１５０の動作制御、アッテネータ１０２、１０８の動作制御、偏波コントローラ１０４、１１０の動作制御、検出器１４１及び１５０の動作制御、ＤＡＱ１６０の動作制御、ＤＡＱ１６０からの収集データの取り込み制御などを行う。
【００６７】
演算制御ユニット２００は、例えば、従来のコンピュータと同様に、マイクロプロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブ、通信インターフェイスなどを含んで構成される。ハードディスクドライブ等の記憶装置には、眼科装置１を制御するためのコンピュータプログラムが記憶されている。演算制御ユニット２００は、各種の回路基板、例えばＯＣＴ画像を形成するための回路基板を備えていてもよい。また、演算制御ユニット２００は、キーボードやマウス等の操作デバイス（入力デバイス）や、ＬＣＤ等の表示デバイスを備えていてもよい。
【００６８】
眼底カメラユニット２、表示装置３、ＯＣＴユニット１００及び演算制御ユニット２００は、一体的に（つまり単一の筺体内に）構成されていてもよいし、２つ以上の筐体に分かれて構成されていてもよい。
【００６９】
〔制御系〕
眼科装置１の制御系の構成について図４を参照しつつ説明する。
【００７０】
（制御部）
眼科装置１の制御系は、制御部２１０を中心に構成される。制御部２１０は、例えば、前述のマイクロプロセッサ、ＲＡＭ、ＲＯＭ、ハードディスクドライブ、通信インターフェイス等を含んで構成される。制御部２１０には、主制御部２１１と記憶部２１２が設けられている。
【００７１】
（主制御部）
主制御部２１１は前述の各種制御を行う。特に、主制御部２１１は、眼底カメラユニット２の合焦駆動部３１Ａ、光路長変更部４１及び光スキャナ４４を制御する。更に、主制御部２１１は、ＯＣＴユニット１００の光源ユニット１２０（波長掃引光源１２１や検出器１４１を含む）、偏波コントローラ１０４、１１０、アッテネータ１０２、１０８、検出器１５０、ＤＡＱ１６０を制御する。
【００７２】
合焦駆動部３１Ａは、合焦レンズ３１を光軸方向に移動させる。それにより、撮影光学系３０の合焦位置が変更される。なお、主制御部２１１は、図示しない光学系駆動部を制御して、眼底カメラユニット２に設けられた光学系を３次元的に移動させることができる。この制御は、アライメントやトラッキングにおいて用いられる。トラッキングとは、被検眼Ｅの運動に合わせて装置光学系を移動させるものである。トラッキングを行う場合には、事前にアライメントとピント合わせが実行される。トラッキングは、被検眼Ｅを動画撮影して得られる画像に基づき被検眼Ｅの位置や向きに合わせて装置光学系をリアルタイムで移動させることにより、アライメントとピントが合った好適な位置関係を維持する機能である。
【００７３】
主制御部２１１は、掃引範囲及び掃引間隔の少なくとも一方がＡスキャン単位で異なる掃引条件でＢスキャンを行うように光源ユニット１２０の波長掃引光源１２１を制御することが可能である。例えば、主制御部２１１は、波長掃引光源１２１に対して被検眼Ｅにおける測定光ＬＳの投射位置に応じた掃引条件を設定する。この場合、波長掃引光源１２１は、測定光ＬＳの投射位置に応じた掃引条件で時間軸上において波長又は波数が直線的に変化する出射光を出力する。主制御部２１１は、光スキャナ１４２に対する制御内容から測定光ＬＳの投射位置を特定することが可能である。この実施形態では、主制御部２１１は、被検眼Ｅにおけるｘｙ平面上において予め設定された走査方向に沿ってＡスキャン単位で掃引条件を波長掃引光源１２１に設定することにより、Ａスキャン単位で掃引条件が異なるＢスキャンを実行させる。それにより、主制御部２１１は、被検眼Ｅにおける測定光ＬＳの投射位置が第１部位に相当する領域に含まれるとき第１掃引範囲を第１掃引間隔で波長を掃引するように波長掃引光源１２１を制御することができる。同様に、主制御部２１１は、被検眼Ｅにおける測定光ＬＳの投射位置が第２部位（第１部位と異なる部位）に相当する領域に含まれるとき第２掃引範囲を第２掃引間隔で波長を掃引するように波長掃引光源１２１を制御することができる。第２掃引範囲は、第１掃引範囲と異なってよい。第２掃引間隔は、第１掃引間隔と異なってよい。
【００７４】
例えば、第２部位が注目部位であり、第１部位が注目部位以外の部位である場合、第２掃引範囲は第１掃引範囲より広く、かつ、第２掃引間隔は第１掃引間隔より広い（粗い）。それにより、注目部位に相当する領域だけ計測精度を向上させることが可能となり、注目部位に相当する領域だけ画像の解像度を向上させることができるようになる。なお、第２部位に相当する領域は、撮影光学系３０を用いて事前に取得された被検眼Ｅの正面画像から特定されてもよい。
【００７５】
例えば、記憶部２１２には、測定光ＬＳの投射位置に対応した掃引条件で動作させるための波長掃引光源１２１に設定するための制御データがあらかじめ記憶されているものとする。この場合、主制御部２１１が、記憶部２１２から読み出した制御データを波長掃引光源１２１に設定すると、波長掃引光源１２１は、測定光ＬＳの投射位置に応じて、設定された掃引条件で波長掃引を行うようにすることができる。
【００７６】
また、主制御部２１１は、記憶部２１２にデータを書き込む処理や、記憶部２１２からデータを読み出す処理を行う。
【００７７】
（記憶部）
記憶部２１２は、各種のデータを記憶する。記憶部２１２に記憶されるデータとしては、例えば、ＯＣＴ画像の画像データ、眼底像の画像データ、被検眼情報、上記の波長掃引光源１２１に対する制御データなどがある。被検眼情報は、患者ＩＤや氏名などの被検者に関する情報や、左眼／右眼の識別情報などの被検眼に関する情報を含む。また、記憶部２１２には、眼科装置１を動作させるための各種プログラムやデータが記憶されている。
【００７８】
（画像形成部）
画像形成部２２０は、ＤＡＱ１６０により取得された収集データに基づいて、眼底Ｅｆの断層像の画像データを形成する。すなわち、画像形成部２２０は、スウェプトソースＯＣＴにより収集された干渉光の検出結果に基づいて被検眼Ｅの画像を形成する。この処理には、従来のスウェプトソースタイプのＯＣＴと同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの処理が含まれている。
【００７９】
画像形成部２２０は、各Ａスキャンの掃引範囲や掃引間隔から、形成されたＡスキャン画像の位置合わせを行ってＢスキャン画像やＣスキャン画像を形成することが可能である。また、波長掃引光源１２１が時間軸上において波長が直線的に変化する出射光を出力する場合、画像形成部２２０は、公知の波数リニア補正を行うことが可能である。なお、波数リニア補正は、データ処理部２３０により行われてもよい。
【００８０】
画像形成部２２０は、例えば、前述の回路基板を含んで構成される。なお、この明細書では、「画像データ」と、それに基づく「画像」とを同一視することがある。
【００８１】
（データ処理部）
データ処理部２３０は、画像形成部２２０により形成された画像に対して各種の画像処理や解析処理を施す。例えば、データ処理部２３０は、画像の輝度補正や分散補正等の各種補正処理を実行する。また、データ処理部２３０は、眼底カメラユニット２により得られた画像（眼底像、前眼部像等）に対して各種の画像処理や解析処理を施す。例えば、データ処理部２３０は、トラッキングの実行時において、被検眼Ｅの前眼部を動画撮影して得られた画像を解析して被検眼Ｅの位置及び向きを求める処理を行う。
【００８２】
また、データ処理部２３０は、眼底カメラユニット２により得られた眼底像を解析することにより注目部位に相当する領域（注目領域）を特定することが可能である。データ処理部２３０は、特定すべき注目部位に応じて、画素値（輝度値）に基づいて注目領域を特定したり、特徴部位や形状を探索することにより注目領域を特定したりする。注目部位には、黄斑部、視神経乳頭部、病変部などがある。
【００８３】
データ処理部２３０は、断層像の間の画素を補間する補間処理などの公知の画像処理を実行して、眼底Ｅｆの３次元画像の画像データを形成する。なお、３次元画像の画像データとは、３次元座標系により画素の位置が定義された画像データを意味する。３次元画像の画像データとしては、３次元的に配列されたボクセルからなる画像データがある。この画像データは、ボリュームデータ或いはボクセルデータなどと呼ばれる。ボリュームデータに基づく画像を表示させる場合、データ処理部２３０は、このボリュームデータに対してレンダリング処理（ボリュームレンダリングやＭＩＰ（Ｍａｘｉｍｕｍ  Ｉｎｔｅｎｓｉｔｙ  Ｐｒｏｊｅｃｔｉｏｎ：最大値投影）など）を施して、特定の視線方向から見たときの擬似的な３次元画像の画像データを形成する。表示部２４０Ａ等の表示デバイスには、この擬似的な３次元画像が表示される。
【００８４】
また、３次元画像の画像データとして、複数の断層像のスタックデータを形成することも可能である。スタックデータは、複数の走査線に沿って得られた複数の断層像を、走査線の位置関係に基づいて３次元的に配列させることで得られる画像データである。すなわち、スタックデータは、元々個別の２次元座標系により定義されていた複数の断層像を、１つの３次元座標系により表現する（つまり１つの３次元空間に埋め込む）ことにより得られる画像データである。
【００８５】
以上のように機能するデータ処理部２３０は、例えば、前述のマイクロプロセッサ、ＲＡＭ、ＲＯＭ、ハードディスクドライブ、回路基板等を含んで構成される。ハードディスクドライブ等の記憶装置には、上記機能をマイクロプロセッサに実行させるコンピュータプログラムがあらかじめ格納されている。
【００８６】
（ユーザインターフェイス）
ユーザインターフェイス２４０には、表示部２４０Ａと操作部２４０Ｂとが含まれる。表示部２４０Ａは、前述した演算制御ユニット２００の表示デバイスや表示装置３を含んで構成される。操作部２４０Ｂは、前述した演算制御ユニット２００の操作デバイスを含んで構成される。操作部２４０Ｂには、眼科装置１の筐体や外部に設けられた各種のボタンやキーが含まれていてもよい。例えば眼底カメラユニット２が従来の眼底カメラと同様の筺体を有する場合、操作部２４０Ｂは、この筺体に設けられたジョイスティックや操作パネル等を含んでいてもよい。また、表示部２４０Ａは、眼底カメラユニット２の筺体に設けられたタッチパネルなどの各種表示デバイスを含んでいてもよい。
【００８７】
なお、表示部２４０Ａと操作部２４０Ｂは、それぞれ個別のデバイスとして構成される必要はない。例えばタッチパネルのように、表示機能と操作機能とが一体化されたデバイスを用いることも可能である。その場合、操作部２４０Ｂは、このタッチパネルとコンピュータプログラムとを含んで構成される。操作部２４０Ｂに対する操作内容は、電気信号として制御部２１０に入力される。また、表示部２４０Ａに表示されたグラフィカルユーザインターフェイス（ＧＵＩ）と、操作部２４０Ｂとを用いて、操作や情報入力を行うようにしてもよい。
【００８８】
［動作例］
眼科装置１の動作について説明する。
【００８９】
図５に、眼科装置１の動作例のフロー図を示す。この動作例には、画像に基づく被検眼Ｅと装置光学系との位置合わせの処理と、画像に基づく走査領域の設定処理とが含まれる。位置合わせの処理には、ＯＣＴ計測のためのアライメント（オートアライメント）、ピント合わせ（オートフォーカス）、トラッキング（オートトラッキング）が含まれる。
【００９０】
（ステップＳ１）
まず、観察光源１１からの照明光（可視カットフィルタ１４により近赤外光となる）で眼底Ｅｆを連続照明することにより、眼底Ｅｆの近赤外動画像の取得を開始する。この近赤外動画像は、連続照明が終了するまでリアルタイムで得られる。この動画像を構成する各フレームの画像は、フレームメモリ（記憶部２１２）に一時記憶され、データ処理部２３０に逐次送られる。
【００９１】
なお、被検眼Ｅには、アライメント光学系５０によるアライメント指標と、フォーカス光学系６０によるスプリット指標とが投影されている。よって、近赤外動画像にはアライメント指標とスプリット指標とが描出されている。これら指標を用いてアライメントやピント合わせを行うことができる。また、被検眼Ｅには、ＬＣＤ３９による固視標も投影されている。被検者は、この固視標を凝視するように指示を受ける。
【００９２】
（ステップＳ２）
データ処理部２３０は、光学系によって被検眼Ｅを動画撮影することにより得られるフレームを逐次に解析して、アライメント視標の位置を求め、光学系の移動量を算出する。制御部２１０は、データ処理部２３０により算出された光学系の移動量に基づいて図示しない光学系駆動部を制御することにより、オートアライメントを行う。
【００９３】
（ステップＳ３）
データ処理部２３０は、光学系によって被検眼Ｅを動画撮影することにより得られるフレームを逐次に解析して、スプリット視標の位置を求め、合焦レンズ３１の移動量を算出する。制御部２１０は、データ処理部２３０により算出された合焦レンズ３１の移動量に基づいて合焦駆動部３１Ａを制御することにより、オートフォーカスを行う。
【００９４】
（ステップＳ４）
続いて、制御部２１０は、オートトラッキングを開始する。具体的には、データ処理部２３０は、光学系によって被検眼Ｅを動画撮影することにより逐次に得られるフレームをリアルタイムで解析して、被検眼Ｅの動き（位置の変化）を監視する。制御部２１０は、逐次に取得される被検眼Ｅの位置に合わせて光学系を移動させるように図示しない光学系駆動部を制御する。それにより、被検眼Ｅの動きに対して光学系をリアルタイムで追従させることができ、アライメントとピントが合った好適な位置関係を維持することが可能となる。
【００９５】
（ステップＳ５）
制御部２１０は、近赤外動画像を表示部２４０Ａにリアルタイムで表示させる。ユーザは、操作部２４０Ｂを用いることにより、この近赤外動画像上に走査領域を設定する。設定される走査領域は１次元領域でも２次元領域でもよい。
【００９６】
なお、測定光ＬＳの走査態様や注目部位（黄斑部、視神経乳頭部、病変部等）があらかじめ設定されている場合などには、これら設定内容に基づいて制御部２１０が走査領域を設定するように構成することも可能である。具体的には、データ処理部２３０による画像解析により注目部位を特定し、制御部２１０が、この注目部位を含むように（例えば、この注目部位が中心に位置するように）所定パターンの領域を設定する。
【００９７】
また、過去に実施されたＯＣＴ計測と同じ走査領域を設定する場合（いわゆるフォローアップ）、制御部２１０は、この過去の走査領域をリアルタイム近赤外動画像上に再現して設定することができる。その具体例として、制御部２１０は、過去の検査で設定された走査領域を表す情報（走査態様等）と、この走査領域が設定された近赤外眼底像（静止画、例えばフレームでよい）とを対応付けて記憶部２１２に記憶させている（実用上は、患者ＩＤや左右眼情報とも対応付けられる）。制御部２１０は、過去の近赤外眼底像と現在の近赤外動画像のフレームとの位置合わせを行い、過去の近赤外眼底像における走査領域に対応する現在の近赤外動画像中の画像領域を特定する。これにより、過去の検査で適用された走査領域が現在の近赤外動画像に対して設定される。
【００９８】
（ステップＳ６）
制御部２１０は、光源ユニット１２０や光路長変更部４１を制御するとともに、ステップＳ５で設定された走査領域に基づいて光スキャナ４４を制御することにより、眼底ＥｆのＯＣＴ計測を行う。
【００９９】
画像形成部２２０は、上記のように、検出器１５０により得られた検出信号をサンプリングすることにより得られた収集データに基づいて、当該Ａラインの断層像（画像）を形成する。また、画像形成部２２０は、公知の手法によりＢスキャン画像を生成することが可能である。走査態様が３次元スキャンである場合、データ処理部２３０は、画像形成部２２０により形成された複数の断層像に基づいて眼底Ｅｆの３次元画像を形成する。以上で、この動作例は終了となる（エンド）。
【０１００】
なお、上記のステップＳ４、ステップＳ５の順序を入れ替えてもよい。また、上記のステップＳ４、ステップＳ５では、近赤外動画像を表示させ、この近赤外動画像上に走査領域を設定しているが、走査領域の設定態様はこれに限定されるものではない。例えば、近赤外動画像における一のフレームの画像（基準画像と呼ぶ）を表示させるとともに、そのバックグラウンドでオートトラッキングを実行する。基準画像上に走査領域が設定されると、制御部２１０は、基準画像と、現にオートトラッキングに供されている画像との間の位置合わせを行うことにより、基準画像上に設定された走査領域に対応するリアルタイム近赤外動画像中の画像領域を特定する。この処理によってもステップＳ４、ステップＳ５と同様にリアルタイム近赤外動画像中に走査領域を設定できる。更に、この方法によれば、静止画像上に走査領域を設定することができるので、現にオートトラッキングされている動画像上に設定する場合よりも作業の容易化や確実化を図ることができる。
【０１０１】
図６に、図５のＯＣＴ計測（ステップＳ６）の動作例のフロー図を示す。
【０１０２】
（ステップＳ１１）
ＯＣＴ計測を開始する前に、制御部２１０は、撮影光学系３０により被検眼Ｅの眼底像を取得させる。制御部２１０は、取得された眼底像を記憶部２１２に保存する。
【０１０３】
（ステップＳ１２）
次に、制御部２１０は、ステップＳ１１において取得された眼底像から注目部位に相当する領域（注目領域）を画像形成部２２０（又はデータ処理部２３０）に特定させる。なお、ユーザが操作部２４０Ｂを用いて眼底像に対して注目領域を特定してもよい。
【０１０４】
制御部２１０は、ステップＳ５において設定された走査領域における測定光ＬＳの投射位置に応じて波長掃引光源１２１の掃引条件を設定する。例えば、制御部２１０は、当該注目領域に含まれる測定光ＬＳの投射位置に対して広範囲低密度掃引モードで動作し、かつ、当該注目領域に含まれない測定光ＬＳの投射位置に対して狭範囲高密度掃引モードで動作するように波長掃引光源１２１の掃引条件（動作条件）を設定する。広範囲低密度掃引モードは、狭範囲高密度掃引モードより掃引範囲が広く、かつ、狭範囲高密度掃引モードより掃引間隔が広い（粗い）波長掃引を行う動作モードである。これに対して、狭範囲高密度掃引モードは、広範囲低密度掃引モードより掃引範囲が狭く、かつ、広範囲低密度掃引モードより掃引間隔が狭い（細かい）波長掃引を行う動作モードである。
【０１０５】
（ステップＳ１３）
続いて、制御部２１０は、光スキャナ４４を制御して、図５のステップＳ５において設定された走査領域に対するＢスキャンを開始させる。
【０１０６】
（ステップＳ１４、ステップＳ１５）
Ｂスキャン中に、ステップＳ１２において特定された注目領域内に測定光ＬＳの投射位置が位置するとき（ステップＳ１４：Ｙ）、波長掃引光源１２１は、ステップＳ１２において設定されたように広範囲低密度掃引モードで波長掃引を行う（ステップＳ１５）。それにより、当該投射位置では、広範囲低密度掃引モードで波長掃引が行われた光に基づいて生成された測定光ＬＳでＡスキャンが実行される。
【０１０７】
(ステップＳ１６)
波長掃引光源１２１は、波長掃引が完了するまでステップＳ１５を継続する。波長掃引が完了したとき（ステップＳ１６：Ｙ）、制御部２１０は、Ｂスキャンが完了したか否かを判別する（ステップＳ１９）。
【０１０８】
（ステップＳ１４、ステップＳ１７）
Ｂスキャン中に、ステップＳ１２において特定された注目領域以外の領域内に測定光ＬＳの投射位置が位置するとき（ステップＳ１４：Ｎ）、波長掃引光源１２１は、ステップＳ１２において設定されたように狭範囲高密度掃引モードで波長掃引を行う（ステップＳ１７）。それにより、当該投射位置では、狭範囲高密度掃引モードで波長掃引が行われた光に基づいて生成された測定光ＬＳでＡスキャンが実行される。
【０１０９】
(ステップＳ１８)
波長掃引光源１２１は、波長掃引が完了するまでステップＳ１７を継続する。波長掃引が完了したとき（ステップＳ１８：Ｙ）、制御部２１０は、Ｂスキャンが完了したか否かを判別する（ステップＳ１９）。
【０１１０】
（ステップＳ１９）
Ｂスキャンが完了していないと判別されたとき（ステップＳ１９：Ｎ）、眼科装置１の動作はステップＳ１４に移行する。Ｂスキャンが完了したと判別されたとき（ステップＳ１９：Ｙ）、眼科装置１のＯＣＴ計測は終了する（エンド）。
【０１１１】
以下、実施形態の動作について説明する。
【０１１２】
図７に、従来の波長掃引光源による波長掃引動作の模式的な説明図を示す。図７において横軸は波長を表し、縦軸は波長掃引光源により掃引された光の強度を表す。図７に示すように、従来はＢスキャン中に広い掃引範囲ＷＲ０で細かい掃引間隔で波長掃引された光（波長λ１、λ２、・・・、λＮ）を用いてＯＣＴ計測を行うため、スキャン時間が長くなり、処理すべきデータ量が膨大になる。
【０１１３】
これに対して、この実施形態では、Ｂスキャン中にＡスキャン単位で掃引条件を変更し、注目部位とそれ以外の部位に対するＯＣＴ計測を行う場合の波長掃引光源１２１の掃引条件を変更する。
【０１１４】
図８に、実施形態に係る眼科装置１による被検眼Ｅの眼底Ｅｆのスキャン動作の模式的な説明図を示す。図８は、被検眼Ｅの眼底Ｅｆの断面図（Ｂスキャン方向の断面図）におけるＢスキャン動作を模式的に表したものである。図８において、注目部位をＳｉとすると、角度θの範囲で測定光ＬＳを偏向するＢスキャン中に、注目部位Ｓｉに相当する領域ＡＲ２に測定光ＬＳの投射位置があるとき広範囲低密度掃引モードで波長掃引を行い、領域ＡＲ２以外の領域ＡＲ１に測定光ＬＳの投射位置があるとき狭範囲高密度掃引モードで波長掃引を行う。
【０１１５】
図９Ａ及び図９Ｂに、実施形態に係る波長掃引光源による波長掃引モードの説明図を示す。図９Ａは、実施形態に係る狭範囲高密度掃引モードの説明図を表す。図９Ｂは、実施形態に係る広範囲低密度掃引モードの説明図を表す。図９Ａ及び図９Ｂにおいて、横軸は波長を表し、縦軸は波長掃引光源により掃引された光の強度を表す。
【０１１６】
図９Ａに示すように狭範囲高密度掃引モードでは、掃引範囲ＷＲ０より狭い掃引範囲ＷＲ１において、掃引間隔ｗｐ２より狭い掃引間隔ｗｐ１で波長掃引された光（波長λＬ、λＬ＋１、・・・、λＭ）が生成される。従って、狭範囲高密度掃引モードでは、広い範囲ｄ１の低解像度の画像が取得される。なお、掃引間隔ｗｐ１は、等間隔であってもよいし、等間隔でなくてもよい。
【０１１７】
一方、図９Ｂに示すように広範囲低密度掃引モードでは、掃引範囲ＷＲ１より広い掃引範囲ＷＲ０において、掃引間隔ｗｐ１より広い（粗い）掃引間隔ｗｐ２で波長掃引された光（波長λ１、・・・、λＮ）が生成される。従って、広範囲低密度掃引モードでは、狭い範囲ｄ２の高解像度の画像が取得される。なお、掃引間隔ｗｐ２は、等間隔であってもよいし、等間隔でなくてもよい。
【０１１８】
以上説明したように、実施形態によれば、Ｂスキャン中にＡスキャン単位で掃引条件を変更するようにしたので、Ａスキャン単位で画像化範囲（計測範囲）や画像の解像度（計測精度）を変更することが可能になる。それにより、Ｂスキャン中に全体的に位置や形状を確認したい部位について広範囲で低解像度の画像を取得し、注目部位について狭い範囲で高解像度の画像を取得することができ、スキャン時間を短縮し、処理すべきデータ量を大幅に削減することが可能になる。
【０１１９】
〔変形例〕
（第１変形例）
上記の実施形態では、被検眼Ｅの眼底Ｅｆをスキャンする場合について説明したが、被検眼Ｅの前眼部をスキャンする場合についても同様である。
【０１２０】
図１０に、実施形態の変形例に係る眼科装置による被検眼Ｅの前眼部のスキャン動作の模式的な説明図を示す。図１０は、被検眼Ｅの前眼部の断面図（Ｂスキャン方向の断面図）におけるＢスキャン動作を模式的に表したものである。
【０１２１】
本変形例に係る眼科装置は、例えば、図１の被検眼Ｅと対物レンズ２２との間に前眼部レンズを挿入することにより、被検眼Ｅの前眼部に対するＯＣＴ計測を実行することが可能である。本変形例に係るデータ処理部は、事前に取得された被検眼Ｅの前眼部像を解析して、隅角に相当する領域を注目領域として特定する。
【０１２２】
図１０において、注目部位である隅角をＳｉとすると、測定光ＬＳを用いたＢスキャン中に、注目部位Ｓｉに相当する領域ＡＲ２に測定光ＬＳの投射位置があるとき広範囲低密度掃引モードで波長掃引を行い、領域ＡＲ２以外の領域ＡＲ１に測定光ＬＳの投射位置があるとき狭範囲高密度掃引モードで波長掃引を行う。
【０１２３】
図９Ａに示すように狭範囲高密度掃引モードでは、狭い掃引範囲ＷＲ１において掃引間隔ｗｐ１で波長掃引された光が生成される。従って、狭範囲高密度掃引モードでは、広い範囲ｄ１０の低解像度の画像が取得される。一方、図９Ｂに示すように広範囲低密度掃引モードでは、広い掃引範囲ＷＲ０において掃引間隔ｗｐ２で波長掃引された光が生成される。従って、広範囲低密度掃引モードでは、狭い範囲ｄ２０の高解像度の画像が取得される。
【０１２４】
以上説明したように、本変形例によれば、上記の実施形態と同様に、Ｂスキャン中に前眼部を全体的に位置や形状を確認したい部位について広範囲で低解像度の画像を取得し、前眼部の注目部位について狭い範囲で高解像度の画像を取得することができ、スキャン時間を短縮し、処理すべきデータ量を大幅に削減することが可能になる。
【０１２５】
（第２変形例）
上記の実施形態又は第１変形例では、主として、波長掃引光源が、時間軸上において波長が直線的に（線形的に）変化する出射光を出力する場合について説明したが、実施形態に係る眼科装置の構成はこれに限定されるものではない。実施形態に係る波長掃引光源は、時間軸上において波長が直線的に（線形的に）変化する出射光を出力するものであってもよい。この場合、波長掃引光源は、出射光の波数に応じたタイミングで変化するクロックＫＣを生成する。画像形成部やデータ処理部は、波数リニア補正を行う必要がなくなり、処理負荷を軽減することができる。
【０１２６】
［効果］
以下、実施形態の効果について説明する。
【０１２７】
実施形態に係る眼科装置（１）は、スウェプトソースＯＣＴを用いて被検眼（Ｅ）のデータを収集する。眼科装置は、干渉光学系（図２のファイバカプラ１０６、１１２、検出器１５０など）と、光スキャナ（４４）と、取得部（ＤＡＱ１６０）とを含む。干渉光学系は、掃引範囲及び掃引間隔の少なくとも一方がＡスキャン単位で異なる掃引条件で波長掃引された光（Ｌ０）を測定光（ＬＳ）と参照光（ＬＲ）とに分割し、測定光を被検眼に投射し、被検眼からの測定光の戻り光と参照光との干渉光（ＬＣ）を検出する。光スキャナは、測定光を偏向する。取得部は、波長掃引のタイミングに応じて干渉光の検出結果を取得する。
【０１２８】
このような構成によれば、掃引範囲及び掃引間隔の少なくとも一方がＡスキャン単位で異なる掃引条件で波長掃引された光に基づく測定光で被検眼Ｅをスキャンするようにしたので、Ａスキャン単位で計測範囲や計測精度が異なるＢスキャンを実行することができる。それにより、Ｂスキャン中に広範囲で低い計測精度でＯＣＴ計測を行い、狭い範囲で高い計測精度でＯＣＴ計測を行うことができ、測定時間を短縮しつつ注目領域を高精細に測定するための新たな技術を提供することが可能になる。
【０１２９】
また、実施形態に係る眼科装置は、掃引範囲及び掃引間隔の少なくとも一方が変更可能な波長掃引光源（１２１）を制御する制御部（２１０）を含み、干渉光学系は、波長掃引光源からの光を測定光と参照光とに分割してもよい。
【０１３０】
このような構成によれば、波長掃引光源を制御することによりＡスキャン単位で掃引範囲や掃引間隔を変更することが可能な眼科装置を提供することができるようになる。
【０１３１】
また、実施形態に係る眼科装置では、制御部は、被検眼における測定光の投射位置が第１部位（注目部位以外の部位）に相当する領域に含まれるとき第１掃引範囲を第１掃引間隔で波長を掃引するように波長掃引光源を制御し、投射位置が第２部位（注目部位）に相当する領域に含まれるとき第２掃引範囲を第２掃引間隔で波長を掃引するように波長掃引光源を制御してもよい。
【０１３２】
このような構成によれば、Ｂスキャン中に測定光の投射位置に応じて、広範囲で低い計測精度でＯＣＴ計測を行ったり、狭い範囲で高い計測精度でＯＣＴ計測を行ったりすることができ、スキャン時間を短縮し、処理すべきデータ量を大幅に削減することが可能になる。
【０１３３】
また、実施形態に係る眼科装置では、第２掃引範囲は第１掃引範囲より広く、かつ、第２掃引間隔は第１掃引間隔より広くてよい。
【０１３４】
このような構成によれば、第１部位について広い範囲で低い計測精度でＯＣＴ計測を行い、第２部位について狭い範囲で高い計測精度でＯＣＴ計測を行うことが可能となり、スキャン時間を短縮し、処理すべきデータ量を大幅に削減することが可能になる。
【０１３５】
また、実施形態に係る眼科装置は、被検眼の正面画像を取得するための撮影光学系（３０）と、撮影光学系を用いて取得された正面画像から第２部位に相当する領域を特定する特定部（画像形成部２２０又はデータ処理部２３０）と、を含み、制御部は、特定部による特定結果に基づいて波長掃引光源を制御してもよい。
【０１３６】
このような構成によれば、正確に特定された注目部位に対して測定時間を短縮しつつ高精細に測定することが可能な眼科装置を提供することができるようになる。
【０１３７】
また、実施形態に係る眼科装置は、波長掃引光源を含んでもよい。
【０１３８】
このような構成によれば、波長掃引光源を内蔵し、スウェプトソースＯＣＴにおいて測定時間を短縮しつつ注目領域を高精細に測定することが可能な眼科装置を提供することができるようになる。
【０１３９】
また、実施形態に係る眼科装置は、取得部により取得されたデータに基づいて被検眼の画像を形成する画像形成部（２２０）を含んでもよい。
【０１４０】
このような構成によれば、スウェプトソースＯＣＴにおいて測定時間を短縮しつつ注目領域について高精細な画像を形成することが可能な眼科装置を提供することができるようになる。
【０１４１】
また、実施形態に係るデータ収集方法は、スウェプトソースＯＣＴを用いて被検眼（Ｅ）のデータを収集するデータ収集方法である。データ収集方法は、検出ステップと、偏向ステップと、取得ステップとを含む。検出ステップは、掃引範囲及び掃引間隔の少なくとも一方がＡスキャン単位で異なる掃引条件で波長掃引された光（Ｌ０）を測定光（ＬＳ）と参照光（ＬＲ）とに分割し、測定光を被検眼に投射し、被検眼からの測定光の戻り光と参照光との干渉光（ＬＣ）を検出する。偏向ステップは、測定光を偏向する。取得ステップは、波長掃引のタイミングに応じて干渉光の検出結果を取得する。
【０１４２】
このような構成によれば、掃引範囲及び掃引間隔の少なくとも一方がＡスキャン単位で異なる掃引条件で波長掃引された光に基づく測定光で被検眼Ｅをスキャンするようにしたので、Ａスキャン単位で計測範囲や計測精度が異なるＢスキャンを実行することができる。それにより、Ｂスキャン中に広範囲で低い計測精度でＯＣＴ計測を行い、狭い範囲で高い計測精度でＯＣＴ計測を行うことができ、測定時間を短縮しつつ注目領域を高精細に測定するための新たな技術を提供することが可能になる。
【０１４３】
また、実施形態に係るデータ収集方法は、検出ステップでは、被検眼における測定光の投射位置が第１部位（注目部位以外の部位）に相当する領域に含まれるとき第１掃引範囲を第１掃引間隔で波長を掃引し、投射位置が第２部位（注目部位）に相当する領域に含まれるとき第２掃引範囲を第２掃引間隔で波長を掃引してもよい。
【０１４４】
このような構成によれば、Ｂスキャン中に測定光の投射位置に応じて、広範囲で低い計測精度でＯＣＴ計測を行ったり、狭い範囲で高い計測精度でＯＣＴ計測を行ったりすることができ、スキャン時間を短縮し、処理すべきデータ量を大幅に削減することが可能になる。
【０１４５】
また、実施形態に係るデータ収集方法では、第２掃引範囲は第１掃引範囲より広く、かつ、第２掃引間隔は第１掃引間隔より広くてもよい。
【０１４６】
このような構成によれば、第１部位について広い範囲で低い計測精度でＯＣＴ計測を行い、第２部位について狭い範囲で高い計測精度でＯＣＴ計測を行うことが可能となり、スキャン時間を短縮し、処理すべきデータ量を大幅に削減することが可能になる。
【０１４７】
（その他の変形例）
以上に説明した構成は、この発明を好適に実施するための一例に過ぎない。よって、この発明の要旨の範囲内における任意の変形（省略、置換、付加等）を適宜に施すことが可能である。
【０１４８】
上記の実施形態又はその変形例では、波長又は波数が昇順又は降順に変化する場合について説明したが、波長又は波数が変化する順序に限定されるものではなく、波長又は波数が変化する順序は任意である。
【０１４９】
上記の実施形態またはその変形例を実現するためのコンピュータプログラムを、コンピュータによって読み取り可能な任意の記録媒体に記憶させることができる。この記録媒体としては、例えば、半導体メモリ、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などを用いることが可能である。
【０１５０】
また、インターネットやＬＡＮ等のネットワークを通じてこのプログラムを送受信することも可能である。
【符号の説明】
【０１５１】
１  眼科装置
２  眼底カメラユニット
３  表示装置
１０  照明光学系
３０  撮影光学系
３１  合焦レンズ
３１Ａ  合焦駆動部
４１  光路長変更部
４４  光スキャナ
５０  アライメント光学系
６０  フォーカス光学系
１００  ＯＣＴユニット
１２０  光源ユニット
１２１  波長掃引光源
１３０  クロック生成光学系
１４１、１５０  検出器
１６０  ＤＡＱ
２００  演算制御ユニット
２１０  制御部
２１１  主制御部
２１２  記憶部
２２０  画像形成部
２３０  データ処理部
２４０Ａ  表示部
２４０Ｂ  操作部
Ｅ  被検眼
Ｅｆ  眼底
ＬＳ  測定光
ＬＲ  参照光
ＬＣ  干渉光
【図１】
2019025186.tif 000003
【図２】
2019025186.tif 000004
【図３】
2019025186.tif 000005
【図４】
2019025186.tif 000006
【図５】
2019025186.tif 000007
【図６】
2019025186.tif 000008
【図７】
2019025186.tif 000009
【図８】
2019025186.tif 000010
【図９Ａ】
2019025186.tif 000011
【図９Ｂ】
2019025186.tif 000012
【図１０】
2019025186.tif 000013